【手続補正書】
【提出日】平成20年2月4日(2008.2.4)
【手続補正１】
【補正対象書類名】特許請求の範囲
【補正対象項目名】全文
【補正方法】変更
【補正の内容】
【特許請求の範囲】
【請求項１】
主に第一オペレーションシステム、第二オペレーションシステム、バーチャルディスクデバイス、基本入力／出力システムからなり、該第一オペレーションシステムと該第二オペレーションシステムにはストレージデバイスに設置し、前記バーチャルディスクデバイスは記憶装置の一部の領域をディスクストレージデバイスとして提供し、前記基本入力／出力システムは前記第二オペレーションシステムを前記バーチャルディスクデバイス内に装備することを特徴とする節電特性を具えたオペレーションシステム共用アプリケーションプログラムのアーキテクチャ。
【請求項２】
前記第二オペレーションシステムは圧縮ファイルであり、前記基本入力／出力システムは前記圧縮ファイルを解凍／圧縮可能であることを特徴とする請求項１記載の節電特性を具えたオペレーションシステム共用アプリケーションプログラムのアーキテクチャ。
【請求項３】
前記第二オペレーションシステムは執行可能ファイルであり、前記執行可能ファイルは前記基本入力／出力システムにより執行することを特徴とする請求項１記載の節電特性を具えたオペレーションシステム共用アプリケーションプログラムのアーキテクチャ。
【請求項４】
前記基本入力／出力システムは前記第二オペレーションシステムを前記バーチャルディスクデバイスに移転後、前記ストレージデバイスは休眠状態となることを特徴とする請求項１記載の節電特性を具えたオペレーションシステム共用アプリケーションプログラムのアーキテクチャ。
【請求項５】
主に第一オペレーションシステム、第二オペレーションシステム、基本入力／出力システムからなり、該第二オペレーションシステムはストレージデバイスに設置し、該基本入力／出力システムを使用し、該第二オペレーションシステムはバーチャルディスクデバイスに装置され、該バーチャルディスクデバイスの該第二オペレーションシステムを執行することを特徴とする節電特性を具えたオペレーションシステム共用アプリケーションプログラムの方法。
【請求項６】
前記第二オペレーションシステムを提供するステップの前に圧縮ステップを執行し、圧縮ファイルとし、前記バーチャルディスクデバイスの前記第二オペレーションシステムのステップを執行し、前記基本入力／出力システムを使用し解凍／圧縮ステップを執行し、前記圧縮ファイルを解凍／圧縮することを特徴とする請求項５記載の節電特性を具えたオペレーションシステム共用アプリケーションプログラムの方法。
【請求項７】
前記第二オペレーションシステムを提供するステップの前に、圧縮ステップを執行し、執行可能ファイルとし、前記バーチャルディスクデバイスの前記第二オペレーションシステムのステップを執行し、前記基本入力／出力システムを使用し、前記執行可能ファイルを執行することを特徴とする請求項５記載の節電特性を具えたオペレーションシステム共用アプリケーションプログラムの方法。
【請求項８】
前記基本入力／出力システムを使用し、前記第二オペレーションシステムをバーチャルディスクデバイスに移転するステップの後には、さらにステップを含み、前記ストレージデバイスを休眠状態とすることを特徴とする請求項５記載の節電特性を具えたオペレーションシステム共用アプリケーションプログラムの方法。
【請求項９】
主に第一オペレーションシステム、マルチメディア再生プログラム、第二オペレーションシステム、バーチャルディスクデバイス、基本入力／出力システムを含み、
該マルチメディア再生プログラムは該第一オペレーションシステム内に装置し、DVD及びVCDフォーマットのAVメディアの再生に用いるアプリケーションプログラムで、該第二オペレーションシステムはストレージデバイスに設置し、該バーチャルディスクデバイスは記憶装置の一部の領域をディスクストレージデバイスとして提供し、
該基本入力／出力システムは該第二オペレーションシステムを該バーチャルディスクデバイスに移転し、該第二オペレーションシステムはさらにインターフェースユニットを通して該マルチメディア再生プログラム関連パラメーターの転換動作を執行し、該第一オペレーションシステムのマルチメディア再生プログラムを共用することを特徴とする節電特性を具えたオペレーションシステム共用アプリケーションプログラムのアーキテクチャ。
【請求項１０】
前記第二オペレーションシステムは圧縮ファイルであり、前記基本入力／出力システムは解凍／圧縮ステップを執行し、前記圧縮ファイルを解凍／圧縮することを特徴とする請求項９記載の節電特性を具えたオペレーションシステム共用アプリケーションプログラムのアーキテクチャ。
【請求項１１】
前記第二オペレーションシステムは執行可能ファイルであり、前記基本入力／出力システムは前記執行可能ファイルを執行することを特徴とする請求項９記載の節電特性を具えたオペレーションシステム共用アプリケーションプログラムのアーキテクチャ。
【請求項１２】
前記基本入力／出力システムは前記第二オペレーションシステムを前記バーチャルディスクデバイスに移転後、前記ストレージデバイスは休眠状態となることを特徴とする請求項９記載の節電特性を具えたオペレーションシステム共用アプリケーションプログラムのアーキテクチャ。
【請求項１３】
主に第一オペレーションシステム、マルチメディア再生プログラム、第二オペレーションシステム、基本入力／出力システム、インターフェースユニットからなり、
該マルチメディア再生プログラムは該第一オペレーションシステムの執行環境下にあり、該第二オペレーションシステムはストレージデバイスに設置し、該基本入力／出力システムを使用し、該第二オペレーションシステムを該バーチャルディスクデバイスに移転し、該バーチャルディスクデバイスの該第二オペレーションシステムを執行し、
該インターフェースユニットを使用し、該マルチメディア再生プログラムの関連パラメーターを転換し、これにより該第二オペレーションシステムは該第一オペレーションシステムの該マルチメディア再生プログラムを共用可能となることを特徴とする節電特性を具えたオペレーションシステム共用アプリケーションプログラムの方法。
【請求項１４】
前記第二オペレーションシステムを提供するステップの前に、圧縮ステップを執行する必要があり、これにより前記第二オペレーションシステムは圧縮ファイルとなり、前記バーチャルディスクデバイスの前記第二オペレーションシステムのステップを執行し、前記基本入力／出力システムを使用し、解凍／圧縮ステップを執行し、前記圧縮ファイルを解凍／圧縮することを特徴とする請求項１３記載の節電特性を具えたオペレーションシステム共用アプリケーションプログラムの方法。
【請求項１５】
前記第二オペレーションシステムを提供するステップの前に、圧縮ステップを執行し、前記第二オペレーションシステムを執行可能ファイルとし、前記バーチャルディスクデバイスの前記第二オペレーションシステムのステップを執行し、前記基本入力／出力システムを使用し、前記執行可能ファイルを執行することを特徴とする請求項１３記載の節電特性を具えたオペレーションシステム共用アプリケーションプログラムの方法。
【請求項１６】
前記基本入力／出力システムを使用し、前記第二オペレーションシステムを前記バーチャルディスクに移転するステップの後に、さらにステップを含み、前記ストレージデバイスを休眠状態とすることを特徴とする請求項１３記載の節電特性を具えたオペレーションシステム共用アプリケーションプログラムの方法。
【請求項１７】
主に第一オペレーションシステム、第二オペレーションシステム、マルチメディア再生プログラム、バーチャルディスクデバイス、基本入力／出力システムからなり、
該第一オペレーションシステムはファイルシステムを含み、少なくとも1個のデータを記録し、該第二オペレーションシステムはストレージデバイスに設置し、該マルチメディア再生プログラムは該第二オペレーションシステム内に装置し、DVD及びVCDフォーマットのAVメディアを再生するアプリケーションプログラムで、該バーチャルディスクデバイスは記憶装置の一部の領域をディスクストレージデバイスとして提供し、該基本入力／出力システムは該第二オペレーションシステムを該バーチャルディスクデバイスに移転し、該マルチメディア再生プログラムはインターフェースユニットを通して、該データに対して転換動作を行い、該第一オペレーションシステムのデータを共用することを特徴とする節電特性を具えたオペレーションシステム共用アプリケーションプログラムのアーキテクチャ。
【請求項１８】
前記第二オペレーションシステムは圧縮ファイルであり、前記基本入力／出力システムは解凍／圧縮ステップを執行し、前記圧縮ファイルを解凍／圧縮することを特徴とする請求項１７記載の節電特性を具えたオペレーションシステム共用アプリケーションプログラムのアーキテクチャ。
【請求項１９】
前記第二オペレーションシステムは執行可能ファイルであり、前記基本入力／出力システムは前記執行可能ファイルを執行することを特徴とする請求項１７記載の節電特性を具えたオペレーションシステム共用アプリケーションプログラムのアーキテクチャ。
【請求項２０】
主に第一オペレーションシステム、少なくとも1個のデータ、第二オペレーションシステム、基本入力／出力システム、バーチャルディスクデバイス、マルチメディア再生プログラム、インターフェースユニットからなり、
該少なくとも1個のデータは該第一オペレーションシステムのファイルシステムに保存し、該第二オペレーションシステムはストレージデバイスに設置し、該基本入力／出力システムを使用し、該第二オペレーションシステムを該バーチャルディスクデバイスに移転し、該バーチャルディスクデバイスの該第二オペレーションシステムを執行し、
該マルチメディア再生プログラムを該第二オペレーションシステムの執行環境下で執行し、該インターフェースユニットを通して該データに対して転換動作を行い、該第二オペレーションシステムの該マルチメディア再生プログラムは該第一オペレーションシステムの該データを共用することを特徴とする節電特性を具えたオペレーションシステム共用アプリケーションプログラムの方法。
【請求項２１】
前記基本入力／出力システムを使用し、前記第二オペレーションシステムを前記バーチャルディスクデバイスに移転するステップの後にはさらにステップを含み、前記ストレージデバイスを休眠状態とすることを特徴とする請求項２０記載の節電特性を具えたオペレーションシステム共用アプリケーションプログラムの方法。
【手続補正２】
【補正対象書類名】明細書
【補正対象項目名】０００６
【補正方法】変更
【補正の内容】
【０００６】
すなわち、請求項１の発明は、主に第一オペレーションシステム、第二オペレーションシステム、バーチャルディスクデバイス、基本入力／出力システムからなり、該第一オペレーションシステムと該第二オペレーションシステムにはストレージデバイスに設置し、前記バーチャルディスクデバイスは記憶装置の一部の領域をディスクストレージデバイスとして提供し、前記基本入力／出力システムは前記第二オペレーションシステムを前記バーチャルディスクデバイス内に装備することを特徴とする節電特性を具えたオペレーションシステム共用アプリケーションプログラムのアーキテクチャである。
請求項２の発明は、前記第二オペレーションシステムは圧縮ファイルであり、前記基本入力／出力システムは前記圧縮ファイルを解凍／圧縮可能であることを特徴とする請求項１記載の節電特性を具えたオペレーションシステム共用アプリケーションプログラムのアーキテクチャである。
請求項３の発明は、前記第二オペレーションシステムは執行可能ファイルであり、前記執行可能ファイルは前記基本入力／出力システムにより執行することを特徴とする請求項１記載の節電特性を具えたオペレーションシステム共用アプリケーションプログラムのアーキテクチャである。
請求項４の発明は、前記基本入力／出力システムは前記第二オペレーションシステムを前記バーチャルディスクデバイスに移転後、前記ストレージデバイスは休眠状態となることを特徴とする請求項１記載の節電特性を具えたオペレーションシステム共用アプリケーションプログラムのアーキテクチャである。
【手続補正３】
【補正対象書類名】明細書
【補正対象項目名】０００７
【補正方法】変更
【補正の内容】
【０００７】
請求項５の発明は、主に第一オペレーションシステム、第二オペレーションシステム、基本入力／出力システムからなり、該第二オペレーションシステムは前記ストレージデバイスに設置し、該基本入力／出力システムを使用し、該第二オペレーションシステムはバーチャルディスクデバイスに装置され、該バーチャルディスクデバイスの該第二オペレーションシステムを執行することを特徴とする節電特性を具えたオペレーションシステム共用アプリケーションプログラムの方法である。
請求項６の発明は、前記第二オペレーションシステムを提供するステップの前に圧縮ステップを執行し、圧縮ファイルとし、前記バーチャルディスクデバイスの前記第二オペレーションシステムのステップを執行し、前記基本入力／出力システムを使用し解凍／圧縮ステップを執行し、前記圧縮ファイルを解凍／圧縮することを特徴とする請求項５記載の節電特性を具えたオペレーションシステム共用アプリケーションプログラムの方法である。
請求項７の発明は、前記第二オペレーションシステムを提供するステップの前に、圧縮ステップを執行し、執行可能ファイルとし、前記バーチャルディスクデバイスの前記第二オペレーションシステムのステップを執行し、前記基本入力／出力システムを使用し、前記執行可能ファイルを執行することを特徴とする請求項５記載の節電特性を具えたオペレーションシステム共用アプリケーションプログラムの方法である。
請求項８の発明は、前記基本入力／出力システムを使用し、前記第二オペレーションシステムをバーチャルディスクデバイスに移転するステップの後には、さらにステップを含み、前記ストレージデバイスを休眠状態とすることを特徴とする請求項５記載の節電特性を具えたオペレーションシステム共用アプリケーションプログラムの方法である。
【手続補正４】
【補正対象書類名】明細書
【補正対象項目名】０００８
【補正方法】変更
【補正の内容】
【０００８】
請求項９の発明は、主に第一オペレーションシステム、マルチメディア再生プログラム、第二オペレーションシステム、バーチャルディスクデバイス、基本入力／出力システムを含み、該マルチメディア再生プログラムは該第一オペレーションシステム内に装置し、DVD及びVCDフォーマットのAVメディアの再生に用いるアプリケーションプログラムで、該第二オペレーションシステムはストレージデバイスに設置し、該バーチャルディスクデバイスは記憶装置の一部の領域をディスクストレージデバイスとして提供し、
該基本入力／出力システムは該第二オペレーションシステムを該バーチャルディスクデバイスに移転し、該第二オペレーションシステムはさらにインターフェースユニットを通して該マルチメディア再生プログラム関連パラメーターの転換動作を執行し、該第一オペレーションシステムのマルチメディア再生プログラムを共用することを特徴とする節電特性を具えたオペレーションシステム共用アプリケーションプログラムのアーキテクチャである。
請求項１０の発明は、前記第二オペレーションシステムは圧縮ファイルであり、前記基本入力／出力システムは解凍／圧縮ステップを執行し、前記圧縮ファイルを解凍／圧縮することを特徴とする請求項９記載の節電特性を具えたオペレーションシステム共用アプリケーションプログラムのアーキテクチャである。
請求項１１の発明は、前記第二オペレーションシステムは執行可能ファイルであり、前記基本入力／出力システムは前記執行可能ファイルを執行することを特徴とする請求項９記載の節電特性を具えたオペレーションシステム共用アプリケーションプログラムのアーキテクチャである。
請求項１２の発明は、前記基本入力／出力システムは前記第二オペレーションシステムを前記バーチャルディスクデバイスに移転後、ストレージデバイスは休眠状態となることを特徴とする請求項９記載の節電特性を具えたオペレーションシステム共用アプリケーションプログラムのアーキテクチャである。
【手続補正５】
【補正対象書類名】明細書
【補正対象項目名】０００９
【補正方法】変更
【補正の内容】
【０００９】
請求項１３の発明は、主に第一オペレーションシステム、マルチメディア再生プログラム、第二オペレーションシステム、基本入力／出力システム、インターフェースユニットからなり、該マルチメディア再生プログラムは該第一オペレーションシステムの執行環境下にあり、該第二オペレーションシステムはストレージデバイスに設置し、該基本入力／出力システムを使用し、該第二オペレーションシステムを該バーチャルディスクデバイスに移転し、該バーチャルディスクデバイスの該第二オペレーションシステムを執行し、該インターフェースユニットを使用し、該マルチメディア再生プログラムの関連パラメーターを転換し、これにより該第二オペレーションシステムは該第一オペレーションシステムの該マルチメディア再生プログラムを共用可能となることを特徴とする節電特性を具えたオペレーションシステム共用アプリケーションプログラムの方法である。
請求項１４の発明は、前記第二オペレーションシステムを提供するステップの前に、圧縮ステップを執行する必要があり、これにより前記第二オペレーションシステムは圧縮ファイルとなり、前記バーチャルディスクデバイスの前記第二オペレーションシステムのステップを執行し、前記基本入力／出力システムを使用し、解凍／圧縮ステップを執行し、前記圧縮ファイルを解凍／圧縮することを特徴とする請求項１３記載の節電特性を具えたオペレーションシステム共用アプリケーションプログラムの方法である。
請求項１５の発明は、前記第二オペレーションシステムを提供するステップの前に、圧縮ステップを執行し、前記第二オペレーションシステムを執行可能ファイルとし、前記バーチャルディスクデバイスの前記第二オペレーションシステムのステップを執行し、前記基本入力／出力システムを使用し、前記執行可能ファイルを執行することを特徴とする請求項１３記載の節電特性を具えたオペレーションシステム共用アプリケーションプログラムの方法である。
請求項１６の発明は、前記基本入力／出力システムを使用し、前記第二オペレーションシステムを前記バーチャルディスクに移転するステップの後に、さらにステップを含み、前記ストレージデバイスを休眠状態とすることを特徴とする請求項１３記載の節電特性を具えたオペレーションシステム共用アプリケーションプログラムの方法である。
【手続補正６】
【補正対象書類名】明細書
【補正対象項目名】００１０
【補正方法】変更
【補正の内容】
【００１０】
請求項１７の発明は、主に第一オペレーションシステム、第二オペレーションシステム、マルチメディア再生プログラム、バーチャルディスクデバイス、基本入力／出力システムからなり、該第一オペレーションシステムはファイルシステムを含み、少なくとも1個のデータを記録し、該第二オペレーションシステムはストレージデバイスに設置し、該マルチメディア再生プログラムは該第二オペレーションシステム内に装置し、DVD及びVCDフォーマットのAVメディアを再生するアプリケーションプログラムで、該バーチャルディスクデバイスは記憶装置の一部の領域をディスクストレージデバイスとして提供し、該基本入力／出力システムは該第二オペレーションシステムを該バーチャルディスクデバイスに移転し、該マルチメディア再生プログラムはインターフェースユニットを通して、該データに対して転換動作を行い、該第一オペレーションシステムのデータを共用することを特徴とする節電特性を具えたオペレーションシステム共用アプリケーションプログラムのアーキテクチャである。
請求項１８の発明は、前記第二オペレーションシステムは圧縮ファイルであり、前記基本入力／出力システムは解凍／圧縮ステップを執行し、前記圧縮ファイルを解凍／圧縮することを特徴とする請求項１７記載の節電特性を具えたオペレーションシステム共用アプリケーションプログラムのアーキテクチャである。
請求項１９の発明は、前記第二オペレーションシステムは執行可能ファイルであり、前記基本入力／出力システムは前記執行可能ファイルを執行することを特徴とする請求項１７記載の節電特性を具えたオペレーションシステム共用アプリケーションプログラムのアーキテクチャである。
【手続補正７】
【補正対象書類名】明細書
【補正対象項目名】００１１
【補正方法】変更
【補正の内容】
【００１１】
請求項２０の発明は、主に第一オペレーションシステム、少なくとも1個のデータ、第二オペレーションシステム、基本入力／出力システム、バーチャルディスクデバイス、マルチメディア再生プログラム、インターフェースユニットからなり、該少なくとも1個のデータは該第一オペレーションシステムのファイルシステムに保存し、該第二オペレーションシステムはストレージデバイスに設置し、該基本入力／出力システムを使用し、該第二オペレーションシステムを該バーチャルディスクデバイスに移転し、該バーチャルディスクデバイスの該第二オペレーションシステムを執行し、
該マルチメディア再生プログラムを該第二オペレーションシステムの執行環境下で執行し、該インターフェースユニットを通して該データに対して転換動作を行い、該第二オペレーションシステムの該マルチメディア再生プログラムは該第一オペレーションシステムの該データを共用することを特徴とする節電特性を具えたオペレーションシステム共用アプリケーションプログラムの方法である。
請求項２１の発明は、前記基本入力／出力システムを使用し、前記第二オペレーションシステムを前記バーチャルディスクデバイスに移転するステップの後にはさらにステップを含み、前記ストレージデバイスを休眠状態とすることを特徴とする請求項２０記載の節電特性を具えたオペレーションシステム共用アプリケーションプログラムの方法である。